(57)【要約】  本発明は、ユーザ機器が複数のＰＤＮネットワークとの接続性を維持することを望む、３ＧＰＰ（ＥＵＴＲＡＮ）から非３ＧＰＰシステム（ＨＲＰＤ、ｃｄｍａ２０００）へのユーザ機器の最適化されたアイドル・モード・ハンドオフをサポートするための方法およびシステムを提供する。すなわち、アイドル・モードでユーザ機器が非３ＧＰＰシステムに登録される間、ユーザ機器は、非３ＧＰＰシステム内のアクセス・ポイントがユーザ機器のホーム・ネットワーク上の適切なエンティティ（ＨＳＳまたはＡＡＡ）と連絡をとり、ユーザ機器によって現在使用されている複数のＰＤＮゲートウェイのアドレスをダウンロードするように、その非３ＧＰＰシステム上のアクセス・ノードに表示を提供する。非３ＧＰＰアクセス・ノードへのこの表示、アクセス・ノードからホーム・ネットワークへのコンタクト・メッセージ、およびホーム・ネットワークから非３ＧＰＰシステム上のアクセス・ノードへの応答は、従来技術には見られない新規の特徴であり、アイドル・モード・ハンドオーバ中にユーザ機器への複数のＰＤＮ接続性を維持するのに十分な情報をアクセス・ノードに提供する。
2011517534.tif 000002
【特許請求の範囲】
【請求項１】
ソース・ネットワークからターゲット・ネットワークへのアイドル・モード・ハンドオーバ中にユーザ機器と複数のＰＤＮ接続との間の接続性を維持するための方法であって、
ターゲット・ネットワーク上のアクセス・ノードで、前記ユーザ機器から登録要求メッセージを受け取るステップであって、前記登録要求メッセージが、前記ターゲット・ネットワークとの前記ユーザ機器のプレゼンスを確立し、前記ユーザ機器によって複数のＰＤＮ接続が現在使用されていることの表示を含む、ステップと、
前記ターゲット・ネットワーク上の前記アクセス・ノードから、前記ユーザ機器に割り当てられたホーム・ネットワーク上のホーム加入者格納エンティティに要求メッセージを送信するステップと、
前記ターゲット・ネットワーク上の前記アクセス・ノードで、前記ユーザ機器に割り当てられた前記ホーム・ネットワーク上の前記ホーム加入者格納エンティティから応答メッセージを受け取るステップであって、前記応答メッセージが、前記ユーザ機器への前記複数のＰＤＮ接続をサポートするすべてのＰＤＮゲートウェイのアドレスを含む、ステップと、
前記ターゲット・ネットワークへのユーザ機器通信の前記ハンドオーバの後に前記ユーザ機器との前記ＰＤＮ接続を維持するために前記複数のＰＤＮゲートウェイとのアクセスを確立できるように、前記ターゲット・ネットワーク上の制御エンティティに前記複数のＰＤＮゲートウェイ・アドレスを送信するステップとを備える方法。
【請求項２】
前記ソース・ネットワークが３ＧＰＰ通信プロトコルの下で動作する、請求項１に記載の方法。
【請求項３】
前記ターゲット・ネットワークが非３ＧＰＰ通信プロトコルの下で動作する、請求項１に記載の方法。
【請求項４】
前記ＰＤＮゲートウェイの前記アドレス情報が、対応するＰＤＮ情報と共に前記ＰＤＮゲートウェイのすべてのＩＰアドレスをも含む、請求項１に記載の方法。
【請求項５】
前記ターゲット・ネットワーク上の前記制御エンティティが、ＰＤＳＮエンティティまたはＨＲＰＤサービング・ゲートウェイと呼ばれるエンティティである、請求項１に記載の方法。
【請求項６】
前記ＰＤＳＮ制御エンティティが、ＰＭＩＰバインディング更新要求メッセージを使用して前記複数のＰＤＮゲートウェイとのアクセスを確立する、請求項５に記載の方法。
【請求項７】
前記ターゲット・ネットワーク上の前記アクセス・ノードがＨＲＰＤアクセス・ノード・エンティティである、請求項１に記載の方法。
【請求項８】
前記アクセス・ノードによって受け取られた前記要求メッセージがＨＲＰＤ接続要求メッセージである、請求項１に記載の方法。
【請求項９】
前記ホーム加入者格納エンティティが、前記ホーム・ネットワーク上のＡＡＡのサーバであってよい、請求項１に記載の方法。
【請求項１０】
ソース・ネットワークからターゲット・ネットワークへのアイドル・モード・ハンドオーバ中にユーザ機器と複数のＰＤＮ接続との間の接続性を維持するための方法であって、
ターゲット・ネットワーク上のＨＲＰＤアクセス・ノードで、前記ユーザ機器から登録要求メッセージを受け取るステップであって、前記登録要求メッセージが、前記ターゲット・ネットワークとの前記ユーザ機器のプレゼンスを確立し、前記ユーザ機器によって複数のＰＤＮ接続が現在使用されていることの表示を含む、ステップと、
前記ターゲット・ネットワーク上の前記ＨＲＰＤアクセス・ノードから、前記ユーザ機器に割り当てられたホーム・ネットワーク上のホーム加入者格納エンティティに要求メッセージを送信するステップと、
前記ターゲット・ネットワーク上の前記ＨＲＰＤアクセス・ノードで、前記ユーザ機器に割り当てられた前記ホーム・ネットワーク上の前記ホーム加入者格納エンティティから応答メッセージを受け取るステップであって、前記応答メッセージが、前記ユーザ機器への前記複数のＰＤＮ接続をサポートするすべてのＰＤＮゲートウェイのアドレスを含む、ステップと、
前記ターゲット・ネットワークへのユーザ機器通信の前記ハンドオーバの後に前記ユーザ機器との前記ＰＤＮ接続を維持するために前記複数のＰＤＮゲートウェイとのアクセスを確立できるように、前記ターゲット・ネットワーク上のＰＤＳＮ制御エンティティに前記複数のＰＤＮゲートウェイ・アドレスを送信するステップとを備える方法。
【請求項１１】
前記ソース・ネットワークが３ＧＰＰ通信プロトコルの下で動作する、請求項１０に記載の方法。
【請求項１２】
前記ターゲット・ネットワークが非３ＧＰＰ通信プロトコルの下で動作する、請求項１０に記載の方法。
【請求項１３】
前記ＰＤＮゲートウェイの前記アドレス情報が、対応するＰＤＮ情報と共に前記ＰＤＮゲートウェイのすべてのＩＰアドレスをも含む、請求項１０に記載の方法。
【請求項１４】
前記ＰＤＳＮ制御エンティティが、ＰＭＩＰバインディング更新要求メッセージを使用して前記複数のＰＤＮゲートウェイとのアクセスを確立する、請求項１０に記載の方法。
【請求項１５】
前記ターゲット・ネットワーク上の前記アクセス・ノードがＨＲＰＤ接続要求メッセージである、請求項１０に記載の方法。
【請求項１６】
前記ホーム加入者格納エンティティが、前記ホーム・ネットワーク上のＡＡＡのサーバであってよい、請求項１０に記載の方法。
【請求項１７】
アイドル・モード・ハンドオーバ中にユーザ機器と複数のＰＤＮ接続との間の接続性を維持するために使用されるターゲット通信ネットワークであって、
ソース・ネットワークに関連するユーザ機器に結合されたターゲット通信ネットワーク上のＨＲＰＤアクセス・ノードであって、ターゲット・ネットワークとの前記ユーザ機器のプレゼンスを確立し、前記ユーザ機器によって複数のＰＤＮ接続が現在使用されていることの表示を含む登録要求メッセージを前記ユーザ機器から受け取り、前記ユーザ機器に割り当てられたホーム・ネットワーク上のホーム加入者格納エンティティに要求メッセージを送信し、ターゲット・ネットワーク上のＨＲＰＤアクセス・ノード上で、前記ユーザ機器に割り当てられた前記ホーム・ネットワーク上の前記ホーム加入者格納エンティティから応答メッセージを受け取り、前記応答メッセージが、前記ユーザ機器への前記複数のＰＤＮ接続をサポートするすべてのＰＤＮゲートウェイのアドレスを含む、ＨＲＰＤアクセス・ノードと、
前記ＨＲＰＤアクセス・ノードに結合されたターゲット通信ネットワーク上の制御エンティティであって、ターゲット・ネットワークへのユーザ機器通信の前記ハンドオーバの後に前記ユーザ機器との前記ＰＤＮ接続を維持するために、前記ＨＲＰＤアクセス・ノードから前記複数のＰＤＮゲートウェイ・アドレスを受け取り、ターゲット通信ネットワークと前記複数のＰＤＮゲートウェイとの間のアクセス接続を確立する制御エンティティとを備えるターゲット通信ネットワーク。
【請求項１８】
前記ソース・ネットワークが３ＧＰＰ通信プロトコルの下で動作する、請求項１７に記載の方法。
【請求項１９】
前記ターゲット・ネットワークが非３ＧＰＰ通信プロトコルの下で動作する、請求項１７に記載の方法。
【請求項２０】
前記ＰＤＮゲートウェイの前記アドレス情報が、対応するＰＤＮ情報と共に前記ＰＤＮゲートウェイのすべてのＩＰアドレスをも含む、請求項１７に記載の方法。
【請求項２１】
前記制御エンティティが、ＰＭＩＰバインディング更新要求メッセージを使用して前記複数のＰＤＮゲートウェイとのアクセスを確立する、請求項１７に記載の方法。
【請求項２２】
前記ターゲット・ネットワーク上の前記アクセス・ノードがＨＲＰＤ接続要求メッセージである、請求項１７に記載の方法。
【請求項２３】
前記ホーム加入者格納エンティティが、前記ホーム・ネットワーク上のＡＡＡのサーバであってよい、請求項１７に記載の方法。
【発明の詳細な説明】
【技術分野】
【０００１】
関連出願情報
本出願は、２００８年３月２５日に出願された仮特許出願第６１／０３９，２５２号に関し、米国特許法第１１９条（ｅ）の下、この先行出願の優先権を主張する。またこの仮特許出願は、参照によりこの特許出願に組み込まれる。
【０００２】
アイドル・モードの技術間無線ハンドオーバ中に複数のＰＤＮネットワーク接続性を維持するための方法およびシステム。
【背景技術】
【０００３】
移動装置は、移動しているとき、あるネットワークから別のネットワークにハンドオフされる必要があり得る。汎用パケット無線サービス（ＧＰＲＳ：ｇｅｎｅｒａｌ  ｐａｃｋｅｔ  ｒａｄｉｏ  ｓｅｒｖｉｃｅ）、移動通信用グローバル・システム（ＧＳＭ：ｇｌｏｂａｌ  ｓｙｓｔｅｍ  ｆｏｒ  ｍｏｂｉｌｅ）／ＧＳＭ進化型高速データレート（ＥＤＧＥ：ｅｎｈａｎｃｅｄ  ｄａｔａ  ｒａｔｅｓ  ｆｏｒ  ＧＳＭ  ｅｖｏｌｕｔｉｏｎ）無線アクセス・ネットワーク（ＧＥＲＡＮ：ＧＳＭ  ＥＤＧＥ  ｒａｄｉｏ  ａｃｃｅｓｓ  ｎｅｔｗｏｒｋ）およびロングターム・エボリューション（ＬＴＥ：ｌｏｎｇ  ｔｅｒｍ  ｅｖｏｌｕｔｉｏｎ）進化型ユニバーサル地上無線アクセス・ネットワーク（ＥＵＴＲＡＮ：ｅｖｏｌｖｅｄ  ｕｎｉｖｅｒｓａｌ  ｔｅｒｒｅｓｔｒｉａｌ  ｒａｄｉｏ  ａｃｃｅｓｓ  ｎｅｔｗｏｒｋ）など、様々なタイプの無線通信システムがある。ＬＴＥ／ＥＵＴＲＡＮシステムは、それに先行するシステム、すなわちＧＰＲＳ、ＧＥＲＡＮまたはＵＴＲＡＮとは異なる物理層および異なるアーキテクチャを有する。すべてのネットワークが同一であるとは限らないので、システム間のハンドオフをサポートするための方法が有益である。
【０００４】
米国特許公報第２００８／０２６８８４６Ａ１号および第２００８／０１９２６９７Ａ１号は、それぞれユーザ機器のＧＰＲＳ／ＧＥＲＡＮシステムからＬＴＥ  ＥＵＴＲＡＮシステムへのハンドオフ、およびその逆のハンドオフをサポートするための従来技術の方法およびシステムについて記載している。これらの文献は、ＬＴＥ／ＥＵＴＲＡＮにより示されたＬＴＥシステム・アーキテクチャと、既存のＧＥＲＡＮ、ＵＴＲＡＮおよびそのＧＰＲＳコアと相互作用する進化型パケット・コアとを含むシステムの図１の例示的な図を含む。ＬＴＥ／ＥＵＴＲＡＮは、モビリティ管理エンティティ／ユーザ・プレーン・エンティティ（ＭＭＥ／ＵＰＥ：ｍｏｂｉｌｉｔｙ  ｍａｎａｇｅｍｅｎｔ  ｅｎｔｉｔｙ／ｕｓｅｒ  ｐｌａｎｅ  ｅｎｔｉｔｙ）とＡＳ間アンカー・ゲートウェイとを含む進化型パケット・コアに接続された（Ｓ１）Ｅ−Ｎｏｄｅ  Ｂを備える。進化型パケット・コアは、ホーム加入者サービス（ＨＳＳ：ｈｏｍｅ  ｓｕｂｓｃｒｉｂｅｒ  ｓｅｒｖｉｃｅ）に接続し（Ｓ６）、またポリシーおよび課金規則（ＰＣＲＦ：Ｐｏｌｉｃｙ  ａｎｄ  Ｃｈａｒｇｉｎｇ  Ｒｕｌｅｓ）に接続する（Ｓ７）。ＡＳ間アンカー・ゲートウェイは、オペレータＩＰサーバ（ＩＭＳ、ＰＳＳなど）に接続し（Ｇｉ）、非３ＧＰＰ  ＩＰアクセス・ネットワーク１０８に接続し（Ｓ２）、ＷＬＡＮ  ３ＧＰＰ  ＩＰアクセス・ネットワーク１０９に接続する（Ｓ２）。
【０００５】
これらの従来技術文献の図１に示されたＧＰＲＳコアは、モビリティ管理、アクセス手順およびユーザ・プレーン制御の責任を担うサービングＧＰＲＳサポート・ノード（ＳＧＳＮ：Ｓｅｒｖｉｎｇ  ＧＰＲＳ  Ｓｕｐｐｏｒｔ  Ｎｏｄｅ）を備える。ＧＰＲＳコアは、ネットワークが外部ネットワークおよび他のオペレータ・サーバに接続される、ゲートウェイＧＰＲＳサポート・ノード（ＧＧＳＮ：Ｇａｔｅｗａｙ  ＧＰＲＳ  Ｓｕｐｐｏｒｔ  Ｎｏｄｅ）をも備える。非３ＧＰＰ  ＩＰアクセス・ネットワーク１０８は、３ＧＰＰ２（ＣＤＭＡ２０００）およびＷｉＭＡＸ（ＩＥＥＥ８０２．１６方式）などの他の規格フォーラムで開発される他の技術への接続を含む。ＷＬＡＮ  ３ＧＰＰ  ＩＰアクセス・ネットワークは、３ＧＰＰに定義されたインタワーキング・アーキテクチャによって３ＧＰＰシステムにＷＬＡＮを組み込ませる。しかし、これらの上記の特許文献は、ユーザ機器が複数のＰＤＮネットワークとの接続性を維持することを望む、３ＧＰＰ（ＥＵＴＲＡＮ）から非３ＧＰＰ（ＨＲＰＤ  ｃｄｍａ２０００）システムへのユーザ機器のアイドル・モード・ハンドオーバに最適化されたハンドオーバ手順およびシステムには対処していない。
【０００６】
技術仕様３ＧＰＰ  ＴＳ  ２３．４０２  Ｖ８．１．１（２００８−０３）は、非３ＧＰＰアクセスとの拡張および相互作用のための第３世代パートナーシップ・プロジェクト（３ＧＰＰ：３ｒｄ  Ｇｅｎｅｒａｔｉｏｎ  Ｐａｒｔｎｅｒｓｈｉｐ  Ｐｒｏｊｅｃｔ）技術仕様について記載している。この技術仕様の特定のバージョンはリリース８であり、このリリース８は、ある技術間結合のハンドオーバ・システム、プロトコルおよび手順のための一般的なネットワーク・リソース、エンティティ、機能およびハンドオーバ手順について記載している。上記の文献と同様にこの技術仕様もまた、ユーザ機器が複数のＰＤＮネットワークとの接続性を維持することを望む、３ＧＰＰ（ＥＵＴＲＡＮ）から非３ＧＰＰシステム（ＨＲＰＤ  ｃｄｍａ２０００）へのユーザ機器のアイドル・モード・ハンドオーバに最適化されたハンドオーバ手順およびシステムには対処できていない。ユーザ機器の複数のＰＤＮネットワークへの接続を維持しながら、こうしたアイドル・モード・ハンドオーバをサポートできる方法およびシステムを有することが有益である。
【発明の概要】
【０００７】
本発明は、ユーザ機器が複数のＰＤＮネットワークとの接続性を維持することを望む、３ＧＰＰ（ＥＵＴＲＡＮ）から非３ＧＰＰシステム（ＨＲＰＤ、ｃｄｍａ２０００）へのユーザ機器の最適化されたアイドル・モード・ハンドオフをサポートするための方法およびシステムを提供する。すなわち、ユーザ機器は、アイドル・モードで非３ＧＰＰシステムとそのプレゼンスを確立するとき、非３ＧＰＰシステム内のアクセス・ノードがユーザ機器のホーム・ネットワーク上の適切なエンティティ（ＨＳＳまたはＡＡＡ）と連絡をとり、ユーザ機器によって現在使用されている複数のＰＤＮゲートウェイのアドレスをダウンロードするように、その非３ＧＰＰシステム上のアクセス・ノードに表示を提供する。非３ＧＰＰアクセス・ノードへのこの表示、アクセス・ノードからホーム・ネットワークへのコンタクト・メッセージ、およびホーム・ネットワークから非３ＧＰＰシステム上のアクセス・ノードへの応答は、従来技術には見られない新規の特徴であり、アイドル・モード・ハンドオーバ中にユーザ機器への複数のＰＤＮ接続性を維持するのに十分な情報をアクセス・ノードに提供する。
【０００８】
本発明の目的および特徴は、添付の図面と併せて読まれるとき、以下の詳細な説明および添付の特許請求の範囲からより容易に理解されよう。図面では、同じ番号は、同様の要素を表す。
【図面の簡単な説明】
【０００９】
【図１】ユーザ機器、３ＧＰＰベースのネットワーク、非３ＧＰＰネットワーク、およびユーザ機器への複数のＰＤＮ接続を示すモバイルＩＰベースの通信システムの図である。
【図２】表示メッセージ、ホーム・ネットワークへのアクセス・ノード要求メッセージおよびアクセス・ノードへの応答が開示された、非３ＧＰＰシステムへのユーザ機器のハンドオーバ・プロトコルの図である。
【発明を実施するための形態】
【００１０】
図１を参照すると、本発明は、３ＧＰＰネットワークから非３ＧＰＰネットワークへのユーザ機器のアイドル・モード・ハンドオーバへの解決策を提案し、この解決策は、非３ＧＰＰネットワーク上のアクセス・ノードに、ユーザ機器によって現在使用されている複数のＰＤＮゲートウェイ接続のアドレスを提供することを含み、これらのＰＤＮゲートウェイ接続は、ＰＤＮゲートウェイ１  １１０およびＰＤＮゲートウェイ２  １１５として示されている。本発明では、ハンドオーバは、アイドル・モード・ハンドオーバ中にユーザ機器１０１との複数のＰＤＮネットワーク接続性を維持できるように、図１ではＥ−ＵＴＲＡＮネットワーク１０２からＨＲＰＤネットワーク１２０へと行われている。この例では、Ｅ−ＵＴＲＡＮネットワーク１０２は、ソース・ネットワークと呼ばれる３ＧＰＰネットワークであり、ＨＲＰＤネットワーク１２０は、ターゲット・ネットワークと呼ばれる非３ＧＰＰネットワークである。
【００１１】
従来技術では、ホーム・ネットワーク（図１に図示せず）上のＨＳＳは、割り当てられたすべてのＰＤＮゲートウェイ（１１０および１１５）のアドレスの値、ならびに現在使用中のアクセスに応じて、３ＧＰＰ  ＡＡＡ（図示せず）と、またＭＭＥ  １３５の両方からＨＳＳのホーム・ネットワークに割り当てられた所与のユーザ機器１０１についての対応するＰＤＮ情報を受け取る。ホーム・ネットワーク上のＨＳＳは、ＰＤＮゲートウェイのアドレス情報を格納する責任を担う。従来技術のアクティブ・モードのハンドオーバでは、ユーザ機器が非３ＧＰＰアクセスにアタッチされ、３ＧＰＰアクセスの以前のアタッチによりユーザ機器にＰＤＮゲートウェイ（１１０および１１５）が既に割り当てられている場合、ホーム・ネットワーク上のＨＳＳは、既に割り当てられたＰＤＮゲートウェイ（１１０および１１５）のＩＰアドレスを対応するＰＤＮ情報と共に、ＳＷｘ基準点を介して３ＧＰＰ  ＡＡＡのサーバに提供する。ＰＤＮゲートウェイのアドレスは、非３ＧＰＰアクセスのアタッチ手順の間に送られる。またアクティブ・モードで、ユーザ機器１０１が３ＧＰＰアクセスにアタッチし、非３ＧＰＰアクセスの以前のアタッチによりＰＤＮゲートウェイ１１０および１１５がそれに既に割り当てられている場合、ＨＳＳは、既に割り当てられたＰＤＮゲートウェイ（１１０および１１５）のＩＰアドレスを対応するＰＤＮ情報と共に、Ｓ６ａ基準点を介してＭＭＥに提供し、ＰＤＮゲートウェイ・アドレスは、３ＧＰＰアクセスのアタッチ手順の間に送られる。
【００１２】
どの従来技術手順も、複数のＰＤＮ接続との接続性を維持できるように非アクティブ・アイドル・モードのユーザ機器のハンドオーバをサポートしておらず、またどの従来技術手順も、複数のＰＤＮゲートウェイ・アドレスを取得するために非３ＧＰＰネットワークのアクセス・ノードと、ホーム・エンティティ上のＨＳＳエンティティ／ＡＡＡサーバとの間で直接に相互作用することを可能にしていない。本出願人が言う「アイドル・モード」とは、システムがアクティブな、または接続されたモビリティ・モード手順で動作していないことを意味し、「アイドル・モード」は、アイドル・モビリティ手順または無線リンク失敗のシナリオによって特徴付けられ得る。本発明は、複数のＰＤＮゲートウェイ接続を有するユーザ機器のこうした「アイドル・モード」転送をサポートする。
【００１３】
図１を参照すると、ネットワーク１００は、複数のＰＤＮネットワークへの接続性を有するアイドル・モード技術間ハンドオーバに関与する様々なネットワーク構成要素を示している。ユーザ機器１０１は、接続１０３を介してＥ−ＵＴＲＡＮネットワーク（３ＧＰＰ）１０２に結合される。以下に言及されるとき、用語ユーザ機器（ＵＥ）は、それだけに限らないが、移動局、固定または移動加入者装置、ページャ、携帯電話、携帯情報端末（ＰＤＡ：ｐｅｒｓｏｎａｌ  ｄｉｇｉｔａｌ  ａｓｓｉｓｔａｎｔ）、コンピュータ、または無線環境で動作可能な他の任意のタイプのユーザ機器を含む。
【００１４】
Ｅ−ＵＴＲＡＮネットワーク１０２は、サービング・ゲートウェイ１０５へのＳｌ−Ｕ接続１１２を介して結合され、このサービング・ゲートウェイ１０５は、それぞれ接続Ｓ５  １１６および１１７を介してＰＤＮゲートウェイ１  １１０およびＰＤＮゲートウェイ２  １１５に結合される。ＰＤＮゲートウェイ１  １１０およびＰＤＮゲートウェイ２  １１５は、複数のＰＤＮネットワーク１５０および１５１を結合し、このＰＤＮネットワーク１５０および１５１は、それぞれ接続１４３および１４４によって結合される。ＳＧｉ１インターフェース１４２およびＳＧｉ２インターフェース１４１は、それぞれ接続１５１および１５２を介してインターネット１５０に置かれたデータのＰＤＮソースに結合される。Ｅ−ＵＴＲＡＮ１０２システムから、図１に示されたＨＲＰＤシステム１２０などの非３ＧＰＰシステムへのユーザ機器１０１のアイドル・ハンドオーバ中にこれらの複数のＰＤＮ接続性を維持することに、本発明は主に焦点を当てる。
【００１５】
Ｅ−ＵＴＲＡＮネットワーク１０２は、モビリティ管理エンティティ（ＭＭＥ）１３５へのＳ１−ＭＭＥ接続１３７を介して結合され、このＭＭＥ１３５は、内部のＳ１０接続１１３を有する。ＭＭＥ１３５は、接続Ｓ１１  １１１を介してサービング・ゲートウェイ１０５に結合され、ＭＭＥ１３５は、Ｓ１０１接続１３２を介してＨＲＰＤシステム１２０上のＨＲＰＤアクセス・ノード１３０に結合される。ＨＲＰＤアクセス・ノード１３０は、相互運用性仕様（ＩＯＳ：Ｉｎｔｅｒｏｐｅｒａｂｉｌｉｔｙ  Ｓｐｅｃｉｆｉｃａｔｉｏｎ）接続１２７を介してパケット・データ交換ノード（ＰＤＳＮ：Ｐａｃｋｅｔ  Ｄａｔａ  Ｓｗｉｔｃｈｉｎｇ  Ｎｏｄｅ）１２５に結合される。ＰＤＳＮ１２５は、ＨＲＰＤサービング・ゲートウェイ（ＨＳＧＷ：ＨＲＰＤ  Ｓｅｒｖｉｎｇ  Ｇａｔｅｗａｙ）と呼ばれることがあり、このＨＳＧＷは、それぞれＳ２ａ接続１２２および１２１を介してＰＤＮゲートウェイ１  １１０およびＰＤＮゲートウェイ２  １１５に結合される。
【００１６】
ＨＲＰＤアクセス・ノード１３０に、アイドル・モードでユーザ機器１０１から接続要求が提供され、接続要求は、ユーザ機器１０１によって複数のＰＤＮ接続が使用されていることを示すユーザ機器１０１からの表示を含む。この表示は、ＨＲＰＤアクセス・ノード１３０に、ユーザ機器によって現在使用されているすべてのＰＤＮゲートウェイ（１１０および１１５）のアドレスの要求のために、ユーザ機器１０１に割り当てられたホーム・ネットワーク（図１に図示せず）上に位置するホーム加入者格納（ＨＳＳ：ｈｏｍｅ  ｓｕｂｓｃｒｉｂｅｒ  ｓｔｏｒａｇｅ）エンティティおよび／または認証、許可、アカウンティング（ＡＡＡ：Ａｕｔｈｅｎｔｉｃａｔｉｏｎ，Ａｕｔｈｏｒｉｚａｔｉｏｎ  ａｎｄ  Ａｃｃｏｕｎｔｉｎｇ）サーバに要求を送るように促す。ホーム・ネットワーク上のＨＳＳエンティティおよび／またはＡＡＡのサーバは、ユーザ機器１０１によって現在使用されているすべてのＰＤＮゲートウェイのアドレスを付けて要求に応答し、したがって、アイドル・モード・ハンドオーバ中にユーザ機器１０１との複数のＰＤＮ接続性を維持することができる。
【００１７】
図２で、ハンドオーバ通信プロトコルは、ユーザ機器がアイドル・モードであると表されたステップ３１０から開始することが示されている。ユーザ機器は、ステップ３１５で、そのセル位置を非３ＧＰＰネットワークに「再選択する」決定を行い、ユーザ機器１０１は、ステップ３２０で、ＨＲＰＤ接続要求メッセージをＨＲＰＤアクセス・ノード１３０に送る。ステップ３２０のこのＨＲＰＤ接続要求メッセージは、ユーザ機器１０１が現在複数のＰＤＮ接続を使用していることの表示を含む。
【００１８】
この表示に応答して、ＨＲＰＤアクセス・ノード１３０は、ステップ３２２で、ユーザ機器に割り当てられたホーム・ネットワーク上に位置するＡＡＡサーバ／ＨＳＳエンティティ１７５に応答メッセージを送る３２２。ステップ３２２で、ＡＡＡサーバ／ＨＳＳエンティティ１７５は、既に割り当てられたＰＤＮゲートウェイ（１１０および１１５）のＩＰアドレス、および対応するＰＤＮ情報など、複数のＰＤＮゲートウェイのアドレス、およびユーザ機器１０１によって現在使用されているＰＤＮ接続に関する他の任意の関連情報を付けてその要求に応答する。
【００１９】
ＨＲＰＤアクセス・ノードは、ステップ３２５で、非３ＧＰＰネットワーク上のＰＤＳＮ１２５にＡ１１登録要求メッセージを送信し、この登録要求メッセージは、ユーザ機器によって現在使用されている複数のＰＤＮゲートウェイ１１０および１１５のアドレス情報を含む。ＰＤＳＮ  １２５は、ステップ３３０で、アドレス情報を使用して、ＰＤＮゲートウェイ１１０および１１５にＰＭＩＰメッセージを送り、このＰＭＩＰメッセージは、ステップ３３５で、ＰＤＮゲートウェイ１１０および１１５から、ＰＤＳＮ１２５への応答メッセージによって肯定応答される。ＰＤＮゲートウェイ１１０および１１５は、ステップ３４０で、ＰＣＲＦエンティティにメッセージを送り、ステップ３４５で、ＰＣＲＦエンティティから応答を受け取る。
【００２０】
ステップ３３５でＰＤＮゲートウェイ１１０および１１５から応答を受け取った後、非３ＧＰＰネットワーク上のＰＤＳＮは、ステップ３５０で、ＨＲＰＤアクセス・ノード１３０にＡ１１登録応答を送る。ＨＲＰＤアクセス・ノードは、ユーザ機器１０１との接続確立のために、ステップ３６０で、ユーザ機器１０１にＨＲＰＤトラフィック・チャネル割当てを送る。次いで、ユーザ機器１０１は、ステップ３７０で、ＨＲＰＤアクセス・ノード１３０にＨＲＰＤ  ＴＣＣ（トラフィック・チャネル完了）メッセージを送る。ユーザ機器１０１は、ステップ３８０で、ＨＲＰＤアクセス・ノード１３０にＨＲＰＤ接続解放メッセージを送ることもできる。これらの接続が確立された後、非３ＧＰＰネットワークへのハンドオーバの後に維持されている複数のＰＤＮ接続を介したトラフィックを含めて、どんな将来のユーザ機器１０１通信トラフィックもが、非３ＧＰＰネットワークを介してアップリンクとダウンリンクの両方向に流れることができる。
【００２１】
本発明の好ましい実施形態が示され、それについて述べられたが、本発明の精神および教示から逸脱せずに、その修正を当業者によって行うことができる。本明細書に述べられた諸実施形態は、例示的なものにすぎず、限定するためのものではない。本明細書に開示された本発明の多くの変更および修正が可能であり、本発明の範囲内である。
【図１】
2011517534.tif 000003
【図２】
2011517534.tif 000004
【手続補正書】
【提出日】平成22年11月15日(2010.11.15)
【手続補正１】
【補正対象書類名】特許請求の範囲
【補正対象項目名】全文
【補正方法】変更
【補正の内容】
【特許請求の範囲】
【請求項１】
３ＧＰＰ通信プロトコルの下で動作するソース・ネットワークから、非３ＧＰＰ通信プロトコルの下で動作するターゲット・ネットワークへのアイドル・モード・ハンドオーバ中にユーザ機器と複数のＰＤＮ接続との間の接続性を維持するための方法であって、
ターゲット・ネットワーク上のアクセス・ノードで、前記ユーザ機器から接続要求メッセージを受け取るステップであって、前記接続要求メッセージが、前記ターゲット・ネットワークとの前記ユーザ機器のプレゼンスを確立し、前記ユーザ機器によって複数のＰＤＮ接続が現在使用されていることの表示を含む、ステップと、
前記ターゲット・ネットワーク上の前記アクセス・ノードから、前記ユーザ機器に割り当てられたホーム・ネットワーク上のホーム加入者格納エンティティに要求メッセージを送信するステップと、
前記ターゲット・ネットワーク上の前記アクセス・ノードで、前記ユーザ機器に割り当てられた前記ホーム・ネットワーク上の前記ホーム加入者格納エンティティから応答メッセージを受け取るステップであって、前記応答メッセージが、前記ユーザ機器によって現在使用されているすべてのＰＤＮゲートウェイのアドレスを含む、ステップと、
前記ターゲット・ネットワークへのユーザ機器通信の前記ハンドオーバの後に前記ユーザ機器との前記ＰＤＮ接続を維持するために前記複数のＰＤＮゲートウェイとのアクセスを確立できるように、前記ターゲット・ネットワーク上の制御エンティティに前記複数のＰＤＮゲートウェイ・アドレスを送信するステップとを備える方法。
【請求項２】
前記ターゲット・ネットワーク上の前記制御エンティティが、ＰＤＳＮエンティティまたはＨＲＰＤサービング・ゲートウェイと呼ばれるエンティティである、請求項１に記載の方法。
【請求項３】
前記ターゲット・ネットワーク上の前記アクセス・ノードがＨＲＰＤアクセス・ノードである、請求項２に記載の方法。
【請求項４】
前記ＰＤＮゲートウェイの前記アドレス情報が、対応するＰＤＮ情報と共に前記ＰＤＮゲートウェイのすべてのＩＰアドレスをも含む、請求項３に記載の方法。
【請求項５】
前記ＰＤＳＮ制御エンティティが、ＰＭＩＰバインディング更新要求メッセージを使用して前記複数のＰＤＮゲートウェイとのアクセスを確立する、請求項４に記載の方法。
【請求項６】
前記アクセス・ノードによって受け取られた前記要求メッセージがＨＲＰＤ接続要求メッセージである、請求項５に記載の方法。
【請求項７】
前記ホーム加入者格納エンティティが、前記ホーム・ネットワーク上のＡＡＡのサーバであってよい、請求項６に記載の方法。
【請求項８】
アイドル・モード・ハンドオーバ中にユーザ機器と複数のＰＤＮ接続との間の接続性を維持するために使用される、非３ＧＰＰ通信プロトコルの下で動作するターゲット通信ネットワークであって、
３ＧＰＰ通信プロトコルの下で動作するソース・ネットワークに関連するユーザ機器に結合されたターゲット通信ネットワーク上のＨＲＰＤアクセス・ノードであって、ターゲット・ネットワークとの前記ユーザ機器のプレゼンスを確立し、前記ユーザ機器によって複数のＰＤＮ接続が現在使用されていることの表示を含む接続要求メッセージを前記ユーザ機器から受け取り、前記ユーザ機器に割り当てられたホーム・ネットワーク上のホーム加入者格納エンティティに要求メッセージを送信し、ターゲット・ネットワーク上のＨＲＰＤアクセス・ノード上で、前記ユーザ機器に割り当てられた前記ホーム・ネットワーク上の前記ホーム加入者格納エンティティから応答メッセージを受け取り、前記応答メッセージが、前記ユーザ機器によって現在使用されているすべてのＰＤＮゲートウェイのアドレスを含む、ＨＲＰＤアクセス・ノードと、
前記ＨＲＰＤアクセス・ノードに結合されたターゲット通信ネットワーク上の制御エンティティであって、ターゲット・ネットワークへのユーザ機器通信の前記ハンドオーバの後に前記ユーザ機器との前記ＰＤＮ接続を維持するために、前記ＨＲＰＤアクセス・ノードから前記複数のＰＤＮゲートウェイ・アドレスを受け取り、ターゲット通信ネットワークと前記複数のＰＤＮゲートウェイとの間のアクセス接続を確立する制御エンティティとを備えるターゲット通信ネットワーク。
【請求項９】
前記ＰＤＮゲートウェイの前記アドレス情報が、対応するＰＤＮ情報と共に前記ＰＤＮゲートウェイのすべてのＩＰアドレスをも含む、請求項８に記載のアイドル・モード・ハンドオーバ中にユーザ機器と複数のＰＤＮ接続との間の接続性を維持するために使用される、非３ＧＰＰ通信プロトコルの下で動作するターゲット通信ネットワーク。
【請求項１０】
前記制御エンティティが、ＰＭＩＰバインディング更新要求メッセージを使用して前記複数のＰＤＮゲートウェイとのアクセスを確立する、請求項８に記載のアイドル・モード・ハンドオーバ中にユーザ機器と複数のＰＤＮ接続との間の接続性を維持するために使用される、非３ＧＰＰ通信プロトコルの下で動作するターゲット通信ネットワーク。
【請求項１１】
前記ターゲット・ネットワーク上の前記アクセス・ノードがＨＲＰＤアクセス・ノードである、請求項８に記載のアイドル・モード・ハンドオーバ中にユーザ機器と複数のＰＤＮ接続との間の接続性を維持するために使用される、非３ＧＰＰ通信プロトコルの下で動作するターゲット通信ネットワーク。
【請求項１２】
前記ホーム加入者格納エンティティが、前記ホーム・ネットワーク上のＡＡＡのサーバであってよい、請求項８に記載のアイドル・モード・ハンドオーバ中にユーザ機器と複数のＰＤＮ接続との間の接続性を維持するために使用される、非３ＧＰＰ通信プロトコルの下で動作するターゲット通信ネットワーク。
【請求項１３】
ソース・ネットワークからターゲット・ネットワークへのアイドル・モード・ハンドオーバ中にユーザ機器と複数のＰＤＮ接続との間の接続性を維持するための方法であって、
ターゲット・ネットワーク上のＨＲＰＤアクセス・ノードで、前記ユーザ機器から登録要求メッセージを受け取るステップであって、前記登録要求メッセージが、前記ターゲット・ネットワークとの前記ユーザ機器のプレゼンスを確立し、前記ユーザ機器によって複数のＰＤＮ接続が現在使用されていることの表示を含む、ステップと、
前記ターゲット・ネットワーク上の前記ＨＲＰＤアクセス・ノードから、前記ユーザ機器に割り当てられたホーム・ネットワーク上のホーム加入者格納エンティティに要求メッセージを送信するステップと、
前記ターゲット・ネットワーク上の前記ＨＲＰＤアクセス・ノードで、前記ユーザ機器に割り当てられた前記ホーム・ネットワーク上の前記ホーム加入者格納エンティティから応答メッセージを受け取るステップであって、前記応答メッセージが、前記ユーザ機器への前記複数のＰＤＮ接続をサポートするすべてのＰＤＮゲートウェイのアドレスを含む、ステップと、
前記ターゲット・ネットワークへのユーザ機器通信の前記ハンドオーバの後に前記ユーザ機器との前記ＰＤＮ接続を維持するために前記複数のＰＤＮゲートウェイとのアクセスを確立できるように、前記ターゲット・ネットワーク上のＰＤＳＮ制御エンティティに前記複数のＰＤＮゲートウェイ・アドレスを送信するステップとを備える方法。
【請求項１４】
前記ソース・ネットワークが３ＧＰＰ通信プロトコルの下で動作する、請求項１３に記載の方法。
【請求項１５】
前記ターゲット・ネットワークが非３ＧＰＰ通信プロトコルの下で動作する、請求項１３に記載の方法。
【請求項１６】
前記ＰＤＮゲートウェイの前記アドレス情報が、対応するＰＤＮ情報と共に前記ＰＤＮゲートウェイのすべてのＩＰアドレスをも含む、請求項１３に記載の方法。
【請求項１７】
前記ＰＤＳＮ制御エンティティが、ＰＭＩＰバインディング更新要求メッセージを使用して前記複数のＰＤＮゲートウェイとのアクセスを確立する、請求項１３に記載の方法。
【請求項１８】
前記ターゲット・ネットワーク上の前記アクセス・ノードがＨＲＰＤ接続要求メッセージである、請求項１３に記載の方法。
【請求項１９】
前記ホーム加入者格納エンティティが、前記ホーム・ネットワーク上のＡＡＡのサーバであってよい、請求項１３に記載の方法。
【国際調査報告】
2011517534.tif 000005
2011517534.tif 000006